(57)【特許請求の範囲】
【請求項１】
便器本体に固定されるタンク装置であって、
外装タンクと、
この外装タンク内に装着され前記便器本体を洗浄する洗浄水を貯水する内装タンクと、
前記外装タンクを前記便器本体に固定する固定部と、を有し、
前記固定部は、前記内装タンクの底面に取り付けられた固定受部と、その上端が前記外装タンクの底面に形成された孔を介して外側から挿入されて前記固定受部と嵌合すると共にその下端が前記便器本体に固定される固定本体部とを備えていることを特徴とすることを特徴とするタンク装置。
【請求項２】
更に、前記内装タンクの底面と前記外装タンクの底面との間隔を所定の距離に保持することにより、前記固定受部の下面が前記外装タンクの底面に当接した状態で、前記固定受部の上面と前記内装タンク底面との間に隙間を形成する間隔保持手段を有することを特徴とする請求項１記載のタンク装置。
【請求項３】
前記間隔保持手段は、前記内装タンクの底面に設けられた脚部であることを特徴とする請求項２記載のタンク装置。
【請求項４】
前記固定本体部は、ボルト部と、このボルト部に固定されたストッパ部を有し、
前記固定受部は、前記ボルト部の上端が螺合可能な取付穴を有し、
前記固定本体部のストッパ部は、前記固定本体部の上面と前記内装タンク底面との間に隙間を形成するような位置に設けられていることを特徴とする請求項２又は３に記載のタンク装置。
【請求項５】
請求項１乃至４の何れか１項に記載のタンク装置を備えた水洗大便器。
【発明の詳細な説明】
【技術分野】
【０００１】
本発明は、タンク装置、及び、このタンク装置が固定される水洗大便器に関する。
【背景技術】
【０００２】
従来より、例えば、特許文献１に示されているように、便器を洗浄するための洗浄水を貯蔵する内装タンクと、内装タンクを収容する外装タンクとを備えたタンク装置が固定された水洗大便器が知られている。このような構造のタンク装置を家庭等の施工現場で設置する場合には、内装タンクを外装タンク内に収容した状態で施工現場まで搬送し、次に、施工現場にて、内装タンクを外装タンクから取り出し、内装タンクの底部外周面に固定ボルトを取り付け、さらに、固定ボルトが外装タンクの底面に形成された孔を挿通するように内装タンクを外装タンク内に再び収容し、外装タンク底面から突出した固定ボルトにより、タンク装置を便器本体に固定するようにしていた。
【０００３】
さらに、例えば、特許文献２（段落［００９０］〜［００９６］参照）には、内装タンクの底部に固定ボルトを収容するための収容空間を設け、出荷時には固定ボルトをこの収容空間に収容しておき、施工現場において、プッシュボタン等を利用して固定ボルトを収容空間から外部へ押し出して、外装タンクの底面に形成された孔から突出させ、外装タンクの底面から突出した固定ボルトにより、タンク装置を便器本体に固定するようにしたタンク装置も知られている。このタンク装置によれば、内装タンクを外装タンク内に収容した状態で、タンク装置を水洗大便器に固定することができた。
【先行技術文献】
【特許文献】
【０００４】
【特許文献１】特開平１０−３３１２２８号公報
【特許文献２】特開２０００−７３４２８号公報
【発明の概要】
【発明が解決しようとする課題】
【０００５】
しかしながら、特許文献１に示されたタンク装置においては、内装タンクの出し入れが伴うため、マンションのトイレなどの狭隘な室内における作業に適さないという問題があった。
さらに、特許文献２のタンク装置においては、内装タンクの出し入れを行う必要はないが、内装タンクの底部に固定ボルトを収容する空間を設ける必要があるので、この収容空間の分だけ、内装タンク内の空間が狭くなるという問題があった。
【０００６】
本発明は、従来技術の問題点を解決するためになされたものであり、内装タンク内の空間を狭めることなく、内装タンクを外装タンク内に収容した状態でタンク装置を便器本体に固定することができるようなタンク装置、及び、水洗大便器を提供することを目的としている。
【課題を解決するための手段】
【０００７】
上記の目的を達成するために、本発明は、便器本体に固定されるタンク装置であって、外装タンクと、この外装タンク内に装着され便器本体を洗浄する洗浄水を貯水する内装タンクと、外装タンクを便器本体に固定する固定部と、を有し、固定部は、内装タンクの底面に予め取り付けられた固定受部と、その上端が外装タンクの底面に形成された孔を介して外側から挿入されて固定受部と嵌合すると共にその下端が便器本体に固定される固定本体部とを備えていることを特徴としている。
このように構成された本発明においては、外装タンクを便器本体に固定する固定部を設け、この固定部が、内装タンクの底面に取り付けられた固定受部と、その上端が外装タンクの底面に形成された孔を介して外側から挿入されて固定受部と嵌合すると共にその下端が便器本体に固定される固定本体部とを備えているので、内装タンクを外装タンク内に収容した状態であっても、固定本体部の上端を外装タンクの底面に形成された孔を通して内装タンクの底面に取り付けられた固定受部材と嵌合して固定し、さらに、固定本体部の下端を便器に固定して、外装タンクを便器本体に固定することができる。さらに、固定本体部は外装タンクの外部から取り付けるので、内装タンク内に固定本体部を収容する空間を設ける必要がない。
【０００８】
本発明は、好ましくは、更に、内装タンクの底面と外装タンクの底面との間隔を所定の距離に保持することにより、固定受部の下面が外装タンクの底面に当接した状態で、固定受部の上面と内装タンク底面との間に隙間を形成する間隔保持手段を有する。
このように構成された本発明においては、外装タンクに横方向の荷重が作用し、外装タンクに傾くようなときでも、間隔保持手段により、固定受部の下面が外装タンクの底面に当接した状態で、固定受部の上面と内装タンク底面との間に隙間が形成されているので、外装タンクの傾きが内装タンクに伝達されず、そのため、内装タンクの傾きが防止され、その結果、内装タンクの底面が変形せず、これにより、漏水の発生を防止することができる。
【０００９】
本発明において、好ましくは、前記間隔保持手段は、前記内装タンクの底面に設けられた脚部である。
このように構成された本発明によれば、簡易な構造により、漏水の発生を防止することができる。
【００１０】
本発明において、好ましくは、固定本体部は、ボルト部と、このボルト部に固定されたストッパ部を有し、固定受部は、ボルト部の上端が螺合可能な取付穴を有し、固定本体部のストッパ部は、固定本体部の上面と内装タンク底面との間に隙間を形成するような位置に設けられている。
このように構成された本発明においては、固定本体部の上面と内装タンク底面との間に隙間が形成されているので、横方向荷重が作用して外装タンクが傾いても、固定本体部により内装タンク底面に過度な荷重が作用するのを防止することができる。
【００１１】
さらに、本発明は、上述したタンク装置を備えた水洗大便器である。
【発明の効果】
【００１２】
本発明のタンク装置、及び、水洗大便器によれば、内装タンク内の空間を狭めることなく、内装タンクを外装タンク内に収容した状態でタンク装置を便器本体に固定することができる。
【図面の簡単な説明】
【００１３】
【図１】本発明の一実施形態による水洗大便器を示す正面図である。
【図２】本発明の一実施形態による水洗大便器を示す左側面図である。
【図３】本発明の一実施形態による便器本体に固定されるタンク装置の内部構造を示す正面断面図である。
【図４】本発明の一実施形態による水洗大便器の外装タンク、内装タンクおよび便器本体等を展開して示す部品展開図である。
【図５】本発明の一実施形態によるタンク装置の内装タンクを背面下方から見た斜視図である。
【図６】本発明の一実施形態によるタンク装置における外装タンク、内装タンクおよび便器本体との接続構造を示す部分拡大背面断面図である。
【図７】本発明の一実施形態によるタンク装置における外装タンクを便器本体へ固定する部分を拡大して示す部分拡大背面断面図である。
【図８】本発明の一実施形態によるタンク装置の固定受部材を示す斜視図である。
【図９】本発明の一実施形態によるタンク装置の固定受部材を示す正面図である。
【図１０】本発明の一実施形態によるタンク装置の固定受部材を示す断面図である。
【図１１】本発明の一実施形態によるタンク装置の固定部材を示す正面図である。
【発明を実施するための形態】
【００１４】
以下、図面を参照して、本発明の一実施形態によるタンク装置及び水洗大便器を説明する。
図１及び図２は、本発明の一実施形態による水洗大便器１の全体構成を示し、図１は正面図、図２は左側面図である。図１及び図２に示すように、水洗大便器１は、便器本体２０と、便器本体２０に固定されたタンク装置１０とにより構成される。
【００１５】
図３は、本発明の一実施形態による便器本体２０に固定されるタンク装置１０の内部を示す鉛直断面図である。また、図４は、外装タンク１００、内装タンク１１０および便器本体２０等を展開して示す部品展開図である。図３及び図４に示すように、タンク装置１０は、外装タンク１００と、外装タンク１００内に収容された内装タンク１１０と、外装タンク１００の上部に設けられた蓋部１２０と、内装タンク１１０に給水を行う給水機構１３０と、内装タンク１１０から便器本体２０への洗浄水の供給を制御する排水弁機構１４０と、排水弁機構１４０を操作する操作機構１５０と、外装タンク１００を便器本体２０に固定する固定機構１６０と、を備える。
【００１６】
外装タンク１００は、上方が開口した陶器製の容器であって、左側面に形成された給水管孔（図示せず）と、右側面に形成されたハンドル挿通孔（図示せず）と、底面中央に形成された排水管孔１０１ａと、底部の排水管孔１０１ａを挟んだ両側に形成された一対のボルト挿通孔１０１ｂを備える。
【００１７】
蓋部１２０は、上面に蛇口（図示せず）および手洗い鉢１２１が形成された陶器製の部材であり、外装タンク１００の上部の開口を覆うように載置される。
【００１８】
給水機構１３０は、外装タンク１００の給水管孔を通して外部から延びる給水配管（図示せず）が接続されており、この給水配管を通じて洗浄水が供給される。給水機構１３０は、排水弁機構１４０が開放され、内装タンク１１０内の水位が低下すると、元の水位に達するまで内装タンク１１０内へ給水を行う。
【００１９】
操作機構１５０は、ハンドル１５３に加えられた回転力を接続部材１５５を介して伝達し、スピンドル支持部１５１により回転可能に支持されたスピンドル１５２を回転させる。スピンドル１５２には、第１及び第２の玉鎖１５６、１５７の上端が接続されており、ハンドル１５３の回転方向に応じて、スピンドル１５２は、第１の玉鎖１５６のみ、或いは、第１及び第２の玉鎖１５６、１５７が引き上げられる。
【００２０】
排水弁機構１４０は、排水量を２段階に設定可能な排水弁装置であり、内装タンク１１０の開口１１１ａを囲むように設けられた筒体１４１及び内装タンク１１０の開口１１１ａを閉鎖する弁体１４２を備える。また、筒体１４１の側面には開口１４１ａが形成され、この開口１４１ａには排水量調整弁１４３が取り付けられている。弁体１４２及び排水量調整弁１４３には第１及び第２の玉鎖１５６、１５７が接続されており、第１の玉鎖１５６のみが引き上げられると、大量の洗浄水が排出され（大洗浄）、第１及び第２の玉鎖１５６、１５７が引き上げられると、少量の洗浄水が排出される（小洗浄）。
【００２１】
図５は本発明の一実施形態によるタンク装置１０の内装タンク１１０を背面下方から見た斜視図である。同図に示すように、内装タンク１１０は、底面に円形の開口１１１ａが形成された容器状のタンク本体１１１と、タンク本体１１１の底面の開口１１１ａの縁に沿って立設された筒状部１１２とにより構成される。筒状部１１２の外周面には螺条が形成されている。タンク本体１１１の外周側底面には、筒状部１１２を挟んだ両側に、保持部１１３が形成され、この保持部１１３により固定受部材１６２が保持されている。また、底面両縁部の前後にはそれぞれ円柱状の脚部１１４が表面から突出している。
【００２２】
図６は、本発明の一実施形態によるタンク装置１０における外装タンク１００、内装タンク１１０および便器本体２０との接続構造を示す部分拡大背面断面図である。また、図７は、本発明の一実施形態によるタンク装置１０における外装タンク１００を便器本体２０へ固定する部分を拡大して示す部分拡大背面断面図である。
図６に示すように、内装タンク１１０は、その底面と筒状部１１２に締め付けられたつば付きナット２００により外装タンク１００の底面を挟み込むことにより外装タンク１００に固定され、さらに、筒状部１１２の先端が便器本体２０の洗浄水を供給するための供給孔２０ａに嵌め込まれて固定されている。また、内装タンク１１０と一体となった外装タンク１００が固定機構１６０により便器本体２０に固定されている。以下、この固定構造を詳細に説明する。
【００２３】
まず、内装タンク１１０を外装タンク１００に固定する構造について説明する。図４および図６に示すように、内装タンク１１０は、筒状部１１２を外装タンク１００の排水管挿通孔１０１ａを挿通させた状態で、外装タンク１００の外側から筒状部１１２に環状のつば付きナット２００を螺合させて締め付けることにより、外装タンク１００に固定されている。さらに、外装タンク１００の底面から突出した筒状部１１２は、便器本体２０の洗浄水を供給するための供給孔２０ａに嵌め込まれている。
【００２４】
外装タンク１００の外周側底面とつば付きナット２００との間、および、内装タンク１１０の外周側底面と外装タンク１００の内周側底面との間には、筒状部１１２を取り囲むように円環状のパッキン２０１、２０２が挟み込まれており、これにより止水性が確保されている。
【００２５】
なお、外装タンク１００は陶器製であるため、タンク底面が傾斜している可能性がある。このような場合に、内装タンク１１０を筒状部１１２において外装タンク１００に固定すると、外装タンク１００の底面と内装タンク１１０の底面が近接してしまう虞がある。しかしながら、本実施形態では、内装タンク１１０の底部に脚部１１４が設けられており、この脚部１１４が外装タンク１００の底面が当接するため、内装タンク１１０の外周側底面と、外装タンク１００の内周側底面との間に所定の間隔が確保される。
【００２６】
この所定の間隔は、後に詳述するように、固定受部材１６２の下方の板状部１７２が外装タンク１００の底面に当接した状態で、上方の板状部１７１が内装タンク１１０の外周側底面に形成された収容部１８２の上面及び縁部１８０との間に隙間が形成されるような間隔に設定されている。
【００２７】
次に、外装タンク１００を便器本体２０に固定する固定機構１６０について説明する。図６及び図７に示すように、固定機構１６０は、外装タンク１００の底面及び便器本体２０の上面にそれぞれ設けられたボルト挿通孔１０１ａ、２１ａを挿通する固定部材１６１と、固定部材１６１の上端部に固定され、外装タンク１００の内周側の底面に当接する固定受部材１６２と、固定部材１６１の下端に取り付けられたナット１７３と、を備える。外装タンク１００は、便器本体２０と固定受部材１６２とにより挟み込まれることにより便器本体２０に固定されている。
【００２８】
図８乃至１０は、本発明の一実施形態による固定受部材１６２の詳細な構成を示し、夫々、斜視図、正面図、断面図である。図８乃至１０に示すように、固定受部材１７２は、内部にナット１７３を収容するための収容口１７０ａが形成された軸部１７０と、収容口１７０ａに収容されたナット１７３と、軸部１７０の上部に接続された平面視正方形状の上方の板状部１７１と、軸部１７０の下部に接続された平面視円形の下方の板状部１７２とを備える。軸部１７０に形成された収容口１７０ａの幅はナット１７３の幅と略等しく、収容口１７０ａ内に収容されたナット１７３は回転が拘束されている。
【００２９】
また、固定受部材１６２には、上下の板状部１７１、１７２の中心を結ぶように、貫通孔１６２ａが形成されている。貫通孔１６２ａの下方の板状部１７２に開口する開口端部には、下方に向かって拡径するような傾斜が形成されている。軸部１７０に形成された収容口１７０ａは貫通孔１６２ａと連通しており、収容口１７０ａに収容されたナット１７３の孔１７３ａは貫通孔１６２ａと一直線上に並ぶ。
【００３０】
固定受部材１６２は内装タンク１１０の外周側底面に形成された保持部１１３内により保持されている。図５及び図７に示すように、保持部１１３は、内装タンク１１０の底面に前後方向に延びる断面矩形状の溝が形成され、この溝の両縁から縁部１８０が中心に向かって延出してなり、内装タンク１１０の前後方向に延びる断面略矩形状の収容部１８２と、縁部１８０の間に形成されたスリット１８１とにより構成される。収容部１８２は、その幅が固定受部材１６２の上方の板状部１７１の幅よりもわずかに広い。また、スリット１８１は、その幅が固定受部材１６２の軸部の径よりもわずかに広く、固定受部材１６２の上方の板状部１７１の幅よりも狭い。また、収容部１８２は、その高さが固定受部材１６２の上方の板状部１７１の厚さに比べて大きい。
【００３１】
固定受部材１６２は、上方の板状部１７１が収容部１８２内に収容されることにより、前後方向にスライド可能に内装タンク１１０の底面に保持されている。また、収容部１８２の幅が板状部１７１の幅よりもわずかに広い程度であるため、上方の板状部１７１の縁が収容部１８２の内面と係合し、固定受部材１６２の回転が拘束される。
【００３２】
また、上記のように、内装タンク１１０の脚部１１４により、外装タンク１００の底面と内装タンク１１０の底面との間に所定の間隔が確保されるため、固定受部材１６２の下方の板状部１７２が内装タンク１１０の内周側底面に当接した状態で、上方の板状部１７１と収容部１８２の上面との間、及び、上方の板状部１７１と縁部１８０との間に夫々空隙が確保される。
【００３３】
図１１は本発明の一実施形態による固定部材１６１の構成を示す図である。同図に示すように、固定部材１６１は、外周に螺条が形成された金属製のボルト部１９０と、ボルト部１９０に固定された円環状のストッパ１９１とを備える。図７に示すように、ストッパ１９１は、その上面が外装タンク１００の外周側底面に当接した状態で、ボルト部１９０の上端と収容部１８２の上面との間に空隙が確保されるような位置に設けられている。なお、ストッパ１９１の外周には、工具等を用いた締め付けを防止するため、目がかり（凹凸）が設けられていない。
【００３４】
図７に示すように、固定部材１６１は、その上部が外装タンク１００のボルト挿通孔１０１ｂを通り、固定受部材１６２の貫通孔１６２ａに挿入され、固定受部材１６２のナット１７３と螺合し、ストッパ１９１の上面が外装タンク１００の外周側底面と当接するまで締め付けられている。これにより、固定受部材１６２の下面も外装タンク１００の内周側底面に当接することとなり、ストッパ１９１及び固定受部材１６２により外装タンク１００の底面を挟み込んで、固定部材１６１と外装タンク１００とが固定される。
【００３５】
そして、固定部材１６１の下部が便器本体２０に形成されたボルト挿通孔２１ａに挿通され、下方からナット１６３が取り付けられる。これにより、外装タンク１００は、その底面が、便器本体２０と固定受部材１６２により挟み込まれることとなり、便器本体２０に一体に固定される。
【００３６】
外装タンク１００に使用者が寄りかかるなどにより横方向荷重が作用すると、外装タンク１００に傾きが生じる。内装タンク１１０の底面に固定受部材１６２を固定している場合には、外装タンク１００とともに内装タンク１１０も傾くこととなる。しかしながら、内装タンク１１０は筒状部１１２が便器本体２０の供給孔に嵌め込まれているため、筒状部１１２に変形が生じ、筒状部１１２の周囲に隙間が生じて漏水が発生してしまう。
【００３７】
これに対し、本実施形態では、固定受部材１６２の上方の板状部１７１と、収容部１８２の上下面との間に空隙が確保されている。このため、外装タンク１００に傾きが生じても、内装タンク１１０は傾くことはなく、筒状部１１２に変形が生じるのを防止し、漏水の発生を防止できる。
【００３８】
さらに、上記の固定受部材１６２を内装タンク１１０に固定した場合と同様に、固定部材１６１の上端が内装タンク１１０の底面に当接している場合にも、外装タンク１００に傾きが生じると、内装タンク１１０も傾いてしまい、筒状部１１２において漏水が発生する虞がある。
【００３９】
これに対し、本実施形態では、固定部材１６１のストッパ１９１により、固定部材１６１の上端と収容部１８２の上面との間に空隙が確保されているため、外装タンク１００に傾きが生じても、内装タンク１１０は傾くことはなく、筒上部１１２に変形が生じるのを防止し、漏水の発生を防止できる。
【００４０】
次に、上述したタンク装置を家庭等の施工現場で便器本体へ固定する施工方法を説明する。
以下、例えば、マンションなどの狭隘な室内において、タンク装置１０を設置する場合について、上記のタンク装置１０の出荷から現場に設置するまでの流れを説明する。
【００４１】
出荷段階のタンク装置１０は、筒状部１１２に螺合するつば付きナット２００が取り外され、内装タンク１１０が筒状部１１２を含めたタンク全体が外装タンク１００内に収容されている。すなわち、内装タンク１１０は、筒状部１１２が外装タンク１００の排水管挿通孔から突出していない状態で外装タンク１００内に収容されている。
【００４２】
また、例えば、固定部材１６１や操作機構のハンドル１５３などの外装タンク１００の外部に突出する部材は、取り外されて外装タンク１００の内部に収容されている。このように、固定部材１６１が取り外されており、外装タンク１００の底面は平坦であるため、タンク装置１０を積載して保管することが可能である。
【００４３】
輸送時には、外装タンク１００をダンボールの箱などに梱包する。この際、外装タンク１００の底面から固定部材１６１が突出している場合には、この固定部材１６１を含めて収容可能な大きさの梱包材が必要となる。しかしながら、本実施形態によれば、固定部材１６１が取り外されているため、外装タンク１００を収容可能な大きさの梱包材内であれば、タンク装置１０を収容することができ、梱包材の大きさを小型にできる。
【００４４】
タンク装置１０を設置する際に、まず、外装タンク１００から蓋部１２０を取り外し、外装タンク１００内に収容されていた部材を取り出す。
【００４５】
次に、内装タンク１１０の筒状部１１２を外装タンク１００の排水管孔１０１ａに挿通させて外装タンク１００の底面から突出させる。なお、予め、出荷前に内装タンク１１０底面と外装タンク１００の底面との間に介装されるべき円環状のパッキン２０２は、内装タンク１１０の筒状部１１２に挿通させておく。そして、外装タンク１００の底面から突出した内装タンク１１０の筒状部１１２に、円環状のパッキン２０１を挿通させ、筒状部１１２につば付きナット２００を螺合させて締め付ける。これにより外装タンク１００と内装タンク１１０が一体となる。
【００４６】
次に、固定部材１６１の先端を外装タンク１００の底面のボルト挿通孔１０１ｂを通して、固定受部材１６２の貫通孔１６２ａに挿入する。この際、固定受部材１６２の貫通孔１６２ａの下端に拡径するような傾斜が設けられており、さらに、固定受部材１６２はスリット１８１に沿って移動可能であるため、固定部材１６１の先端をスムーズに貫通孔１６２ａに挿入することができる。
【００４７】
次に、かかる状態で固定部材１６１を回転させ、固定部材１６１のボルト部１９０を固定受部材１６２のナット１７３と螺合させる。そして、固定部材１６１のストッパ１９１の上面が外装タンク１００の底面に当接するまで固定部材１６１を締め付ける。これにより、固定受部材１６２の下方の板状部材１７２が外装タンク１００の内周側底面に当接し、外装タンク１００の底面を固定受部材１６２とストッパ１９１により挟み込むこととなり、固定部材１６１が外装タンク１００に固定される。
【００４８】
この際、固定部材１６１のストッパ１９１の外周には目がかりが設けられていない。このため、工具などにより固定部材１６１を過度にきつく締め付けてしまい、内装タンク１１０が破損するのを防止できる。
【００４９】
次に、外装タンク１００を、底面から突出する固定部材１６１が便器本体２０のボルト孔２１ａに挿入されるとともに、排水管挿通孔１０１ａから突出する内装タンク１１０の筒状部１１２が便器本体２０の給水管孔２０ａに挿入されるように、外装タンク１００を便器本体２０の上方に設置する。そして、固定部材１６１の便器本体２０のボルト孔２１ａに挿入した部分にナット１６３を取り付ける。これにより、外装タンク１００の底面が固定部材１６１を介して固定受部材１６２と便器本体２０に挟みこまれた状態となり、外装タンク１００が便器本体２０とが固定される。
【００５０】
次に、給水配管を外部から給水管孔を通じて外装タンク１００内に挿入し、給水機構に接続１３０する。また、例えば、操作機構のハンドル１５３など、出荷の段階で取り外していた部材を取り付ける。
以上の工程により、タンク装置１０の設置が完了する。
【００５１】
本実施形態によれば、予め、内装タンク１１０の底面に固定部材１６１を取り付けておき、タンク装置１０の設置現場において、外装タンク１００の外側から、外装タンク１００に設けられたボルト挿通孔１０１ｂを通して、固定部材１６１を固定受部材１６２に接続することができる。このため、設置現場において、内装タンク１１０を外装タンク１００から取り出す必要がなくなり、狭隘な室内においても容易にタンク装置１０の設置作業を行うことができる。
【００５２】
また、固定受部材１６２の上方の板状部１７１と、内装タンク１１０の保持部１１３の収容部１８２の上面及び縁部１８０との間に夫々空隙が確保されるため、外装タンク１００が傾いても、内装タンク１１０は姿勢が維持される。これにより、内装タンク１１０の筒状部１１２が変形し、筒状部１１２の周囲に隙間が生じて漏水が生じるのを防止できる。
【００５３】
また、固定部材１６１にストッパ１９１が形成されていることにより、固定部材１６１の上端と内装タンク１１０の底面との間に空隙が確保される。これにより、外装タンク１００が傾いても、内装タンク１１０は姿勢が維持され、筒状部１１２の周囲に隙間が生じて漏水が生じるのを防止できる。
【００５４】
なお、上記の実施形態では、内装タンク１１０の四隅に脚部を設けることとしたが、これに限らず、例えば、内装タンク１１０の底面の離間した３箇所に設けることとしてもよく、５箇所以上に設けてもよい。要するに、固定部材１６１を外装タンク１００のボルト挿通孔を通して、固定受部材１６２に締め付ける際に、固定受部材１６２の上方の板状部と、保持部１１３との間に隙間を確保できるような位置に脚部が設けられていればよい。
【００５５】
また、上記の実施形態では、内部にナット１６３が収容された固定受部材１６２と、ボルト部１９０を有する固定部材１６１とを螺合させることにより固定受部材１６２に固定部材１６１を固定することとしたが、これに限らず、例えば、固定受部材内に固定部材を挟み込んで固定する機構を設け、この機構により固定するものとしてもよく、要するに、固定部材１６１と固定受部材１６２の固定方法は問わない。
【００５６】
また、上記説明した給水機構１３０、排水弁機構１４０、及び操作機構１５０の構成は、一例であり、これに限られず、要求される性能に応じた適宜な機構を採用することができる。
【符号の説明】
【００５７】
１  水洗大便器
１０  タンク装置
２０  便器本体
１００  外装タンク
１０１ｂ  ボルト孔
１１０  内装タンク
１１１ａ  開口
１１３  保持部
１１４  脚部
１６０  固定機構
１６１  固定部材
１６２  固定受部材
１６２  貫通孔
１６３  ナット
１９０  ボルト部
１９１  ストッパ
【図１】
0005441010.tif 000002
【図２】
0005441010.tif 000003
【図３】
0005441010.tif 000004
【図４】
0005441010.tif 000005
【図５】
0005441010.tif 000006
【図６】
0005441010.tif 000007
【図７】
0005441010.tif 000008
【図８】
0005441010.tif 000009
【図９】
0005441010.tif 000010
【図１０】
0005441010.tif 000011
【図１１】
0005441010.tif 000012